(57)【特許請求の範囲】
【請求項１】
壁部（１８）に取り付けられる家具本体の支持構造物（１１）であって、該支持構造物（１１）の外側に位置する外側枠体（１５）と、該外側枠体（１５）内で降下可能な内側枠体（１９）とを備えており、
本支持構造物（１１）は、互いに離れた状態で前記壁部（１８）に取り付けられた２つ
の側部構成要素（１、１ａ）と、それら側部構成要素（１、１ａ）を解放可能に連結できる少なくとも１つの横断部材（１２）とを含んでおり、
本支持構造物（１１）は、前記外側枠体（１５）と、前記内側枠体（１９）とを本支持構造物（１１）にそれぞれ独立的に取り付けるために離れて設けられている固定位置（２ａ、２ｂ；１３ａ、１３ｂ）を備えており、
それぞれの前記側部構成要素（１、１ａ）は、前記内側枠体（１９）側に向いている内側にて、予め取り付けておくことも可能であって垂直方向に移動可能な支持構成要素（６）を有しており、
該支持構成要素（６）は、前記内側枠体（１９）のための固定位置（２ａ、２ｂ）を有しており、
前記側部構成要素（１、１ａ）は、第１の側部部分（３）と、第２の移動可能な側部部分（３ａ）とを含み、少なくとも前記第２の移動可能な側部部分（３ａ）は、前記側部構成要素（１、１ａ）のそれぞれの幅を調節するために、前記第１の側部部分（３）に対して幅方向に伸縮可能な望遠鏡式構造により移動可能に構成されていることを特徴とする支持構造物。
【請求項２】
支持構成要素（６）は、内側枠体（１９）のための水平支持部材（８）を有しているこ
とを特徴とする請求項１記載の支持構造物。
【請求項３】
少なくとも１つの支持構成要素（６）は、電動駆動装置（５）と伝達機構（７）とによ
って可動であることを特徴とする請求項１または２記載の支持構造物。
【請求項４】
少なくとも１つの側部構成要素（１、１ａ）は、他の側部構成要素（１ａ、１）との連結構造部材（１４）を含んでいることを特徴とする請求項１から３のいずれかに記載の支持構造物。
【請求項５】
少なくとも１つの側部構成要素（１、１ａ）は、枠形態の側部分（３）と、そこから実
質的に直角に延び出る上部分（４）とを有していることを特徴とする請求項１から４のいずれかに記載の支持構造物。
【請求項６】
上部分（４）は、電動駆動装置（５）を受け入れるように構成されていることを特徴とする請求項５記載の支持構造物。
【請求項７】
横断部材（１２）は、電源装置（Ｐ）を受け入れるように構成されていることを特徴とする請求項１から６のいずれかに記載の支持構造物。
【請求項８】
少なくとも１つの側部構成要素（１、１ａ）は、少なくとも１方向で長さが可変であり
、該側部構成要素（１、１ａ）は、内側枠体（１９）のそれぞれのサイズに合わせるよう
に設計されていることを特徴とする請求項１から７のいずれかに記載の支持構造物。
【請求項９】
側部構成要素（１、１ａ）は、長さを変えるために、互いに連結できる少なくとも２つ
の部分（３、３ａ）を有しており、あるいは、互いに対する相対位置をずらすことができ
る少なくとも２つの部分を有していることを特徴とする請求項８記載の支持構造物。
【請求項１０】
少なくとも１つの側部構成要素（１、１ａ）は、家具フラップ（２１）を動かす駆動装
置（１０）のための少なくとも１つの保持具（９）を有していることを特徴とする請求項
１から９のいずれかに記載の支持構造物。
【請求項１１】
保持具（９）は、挿入溝を備え、駆動装置（１０）は、該挿入溝内に挿入されて固定されることを特徴とする請求項１０記載の支持構造物。
【請求項１２】
外側枠体（１５）の固定位置（１３ａ、１３ｂ）は、本支持構造物（１１）の外側に設
けられていることを特徴とする請求項１から１１のいずれかに記載の支持構造物。
【請求項１３】
外側枠体（１５）は、平板壁部分（１５ａ、１５ｂ、１５ｃ）を有していることを特徴
とする請求項１から１２のいずれかに記載の支持構造物。
【請求項１４】
平板壁部分（１５ａ、１５ｂ、１５ｃ）のサイズは、内側枠体（１９）のサイズに実質
的に対応していることを特徴とする請求項１３記載の支持構造物。
【請求項１５】
請求項１から１４のいずれかに記載の支持構造体（１１）を少なくとも１つ含んでいる
ことを特徴とする家具。
【発明の詳細な説明】
【技術分野】
【０００１】
本発明は、壁部に取り付けられる家具本体のための支持構造物に関する。
【背景技術】
【０００２】
この支持構造物は、外側枠体と内側枠体とを含んでいる。内側枠体は、外側枠体に対し
て降下できる。支持構造物は、２つの側部構成要素を含んでいる。これら側部構成要素は
、互いに間隔を開けて壁部に取り付けられる。支持構造物は、これら側部構成要素を解放
可能に連結できる少なくとも１つの横断部材も含んでいる。支持構造物は、外側枠体およ
び内側枠体を支持構造物にそれぞれ独立して取り付けるための別々の固定位置を有してい
る。
【０００３】
本発明は、さらに、以下で説明する支持構造物を備えた家具および壁部に家具を取り付
ける方法にも関する。
【０００４】
外側枠体と、外側枠体に対して下降が可能である内側枠体とを有した家具は知られてお
り、例えば本出願人の特許文献１において開示されている。この場合には、内側枠体は、
駆動装置と伝達機構とによって上方に可動なフラップ（跳戸）に可動状態で連結されてい
る。相対的に安定（静止）した外側枠体は、比較的に高荷重である物理的負荷が作用する
駆動装置の取り付けのために利用される。
【０００５】
特許文献２は、降下可能で、壁部に取り付けられる壁パネルに対して高さが変動できる
ように取り付けられている頭上戸棚のための支持構造物を開示する。壁パネルには、装飾
パネルが装着されている運搬具が取り付けられている。この頭上戸棚が持ち上げられた位
置にあるとき、頭上戸棚の開かれた戸棚内部はこの装飾パネルによって遮蔽される。
【先行技術文献】
【特許文献】
【０００６】
【特許文献１】オーストリア特許第５０３６７１号公報（ＡＴ５０３６７１Ｂ１）
【特許文献２】特開２００７−２６０２００号公報
【発明の概要】
【発明が解決しようとする課題】
【０００７】
本発明の一目的は、家具を壁部に簡単に取り付けることである。ここでは安定した外側
枠体の必要性はない。
【課題を解決するための手段】
【０００８】
本発明によれば、この目的は、「請求項１」の構成により達成される。本発明のさらな
る有利な設計思想は、従属請求項にて明記されている。
【０００９】
本発明によれば、内側枠体に面した内側に、各々の側部構成要素は、予め取り付けられ
た垂直方向に可動である支持構成要素を有している。この支持構成要素は、内側枠体のた
めの固定位置を有している。よって内側枠体は、壁部に固定された側部構成要素に対して
垂直方向に可動であり、支持構成要素（および内側枠体）の移動は、電動駆動装置によっ
て提供される。内側枠体は、上端位置から下端位置にまで可動であり、側部構成要素間に
実質的完全に受領される。この構成によって内側枠体に物品が容易に収納できる。
【００１０】
２つの側部構成要素と、これら側部構成要素を連結する横断部材は、取り付け位置にて
Ｕ型構造を形成することができる。このＵ型構造は、取り付け過程で壁部に予め取り付け
ておくことができる。両方の側部構成要素は、横断部材と共に骨組形態の構造物を形成す
る。内側枠体の固定位置は、支持構造物の内側に設けられ、外側枠体の固定位置は、支持
構造物の外側に設けられる。
【００１１】
本発明の支持構造物は、内側枠体を支持構造物に単独および外側枠体とは非連結状態で
取り付ける。すなわち外側枠体は、内側枠体の重量荷重が免除される。よって外側枠体を
頑丈な木材（例えばチップボードあるいはウッドボード）によって製造する必要はない。
外側枠体は、簡素で上品な外観を醸し出すように純粋に装飾的な機能を有すればよい。従
って外側枠体は、基本的には軽量材（例えばハニカム構造の軽量建築パネル）により形成
できる。外観に悪影響がなければ支持構造物への外側枠体の配置は完全に省略できる。
【００１２】
本発明の一実施態様においては、少なくとも一方の側部構成要素は、少なくとも部分的
に連結構造部材を有する。よって側部構成要素が平板形態の平坦部分から製造される必然性はない。枠形態の連結構造部材を利用することで、支持構造物の重量を相当程度低減することが可能である。このため支持構造物の壁部への取り付け作業は簡素化される。安定性を付与するため、連結構造部材が金属部材または金属補強部材により少なくとも部分的に形成されることが有利である。
【００１３】
本発明の一好適実施態様では、少なくとも一方の側部構成要素は、好適には実質的に枠
形態の側部分と、そこから実質的に直角に延び出る上部分とを有している。従って側部構
成要素は、Ｌ型構造を形成する。このＬ型構造の長い方の肢部材は、内側枠体の外側と関
係し、Ｌ型構造の短い方の肢部材は、内側枠体の最上側部に関係する。横断部材は、好適
な固定具によって側部構成要素の２つの上部分において相互に連結できる。従って横断部材は、様々な長さの交換可能なモジュール式要素の形態で提供でき、支持構造物の幅は、取り付けられる内側枠体の幅に対応させて設計することができる。横断部材の長さを可変（例えば望遠鏡式伸縮性）とすることも有利である。
【００１４】
内側枠体のそれぞれの寸法に合わせて支持構造物の選択的な設計を提供するため、側部
構成要素の長さを少なくとも１方向で可変とすることが望ましい。このため支持構造物は
、全体として上下方向、横方向及び／又は奥行き方向に移動できるよう設計できる。
【００１５】
長さを合わせるため、相互に連結でき、相互にモジュール式に解放可能に連結できる少
なくとも２つの部分を使用する。内側枠体のそれぞれの寸法に支持構造物の寸法を無段階
に合わせるため、相対的に移動可能で、相対的に移動した後に固定可能な少なくとも２つ
の部分を含むことができる。
【００１６】
最も単純な例では、内側枠体及び／又は外側枠体の固定形態は、ネジ式連結形態でよい
。あるいは固定形態は、掛け止め連結の形態でよい。この形態では、少なくとも一方が弾
性掛け止め部材またはバネ式掛け止め部材であり、弾性材料を押圧することで内側枠体及
び／又は外側枠体を支持構造物から解放することができる。このように内側枠体及び／又
は外側枠体は、支持構造物に工具を使用せずにスナップ式に係留でき、必要であれば工具
なしに支持構造物から取り外すことができる。本発明の一好適実施態様では、外側枠体は
、板状の壁部分から形成できる。外側枠体は、装飾目的を達成するだけであるため、前述
のように軽量ボードまたは軽量パネルで製造することができる。
【００１７】
本発明の家具は、少なくとも１つの前述の支持構造物を特徴とする。
【００１８】
外側枠体と、下降可能な内側枠体とを有する家具を壁部に固定する本発明の方法は、各
々が垂直方向に可動である支持構成要素を有した２つの側部構成要素を互いに間隔を開け
て壁部に取り付けるステップと、内側枠体をそれら２つの側部構成要素間に挿入するステ
ップと、内側枠体をそれら２つの支持構成要素に連結するステップと、外側枠体を支持構
造物に連結するステップとを含んでいる。
【００１９】
以下においては、本発明のさらなる詳細と利点とが図面を利用して詳細に解説されてい
る。
【図面の簡単な説明】
【００２０】
【図１】図１は、本発明による支持構造物の側部構成要素の可能な１実施例の斜視図である。
【図２】図２は、互いから解放された状態にある２つの側部構成要素と横断部材とを備えた支持構造物を示す。
【図３】図３は、組み立てられた状態にある支持構造物を示す。
【図４】図４は、外側枠体が取り付けられた状態にある支持構造物を示す。
【図５】図５は、家具フラップのために取り付けられる駆動装置と、内側枠体を下降させるように取り付けられるスイッチとを備えた支持構造物を示す。
【図６】図６は、外側枠体が取り付けられている支持構造物と、壁部に予め取り付けられている壁ホルダーとを示す。
【図７】図７は、壁部に固定されており、内側枠体が取り付けられる状態にある支持構造物を示す。
【図８】図８は、壁部に固定されており、垂直に可動な家具フラップを移動させるために駆動アームが取り付けられる状態にある家具を示す。
【図９】図９は、壁部に固定されており、家具フラップが所定箇所に取り付けられる状態にある家具を示す。
【図１０】図１０は、家具フラップが開いた状態にある家具の全体図を示す。
【図１１】図１１は、家具フラップが開いた状態にあり、内側枠体が降下した状態にある家具を示す。
【図１２ａ】図１２ａは、内側枠体がそれぞれ上端位置および下端位置にある、台所の頭上戸棚としての家具の典型的な設置状況を示す。
【図１２ｂ】図１２ｂは、内側枠体がそれぞれ上端位置および下端位置にある、台所の頭上戸棚としての家具の典型的な設置状況を示す。
【発明を実施するための形態】
【００２１】
図１は、本発明による支持構造物の側部構成要素１の可能な実施例を示す。内側枠体（
ここでは非図示であるが、後述の図７では符号１９の部材が該当する。）は、概略的に示されている固定位置２ａと２ｂにて側部構成要素１の内側に固定できる。枠形態である側部構成要素１は、少なくとも部分的に金属の連結構造部材を有して形成される。
【００２２】
側部構成要素１は、壁部に静止状態で固定され、好適には、枠形態の側部分３を有して
いる。側部分３に対して直角方向に突出する上部分４は、最上部に配置され、側部構成要
素１は、実質的にＬ型形状である。上部分４は、樋形態であり、垂直方向に可動な支持構
成要素６を駆動する電気駆動装置５は、その内部に収容される大きさである。電気駆動装
置５は、伝達機構７（例えばケーブル形態、歯付きベルト形態及び／又はギヤ伝達形態）
によって支持構成要素６に作用する。
【００２３】
支持構成要素６は、静止状態にある側部分３に対して垂直方向に可動である。高さが調
節可能である支持構成要素６は、水平支持部８を有しており、取り付けられる内側枠体は
、前方からその水平支持部８に押し込まれ、支持構成要素６の固定位置２ａと２ｂでの配
置後に固定できる。側部構成要素１を内側枠体の各奥行きのサイズに合わせるため、図示
の実施例では、側部構成要素１は、奥行き方向に移動が可能である。この目的で部分３ａ
は、静止状態である側部分３に対して望遠鏡式に伸縮移動でき、適切な位置に配置した後
に固定できる。側部構成要素１も同様に上下方向に移動できるように設計されている。側
部構成要素１は、駆動装置１０のための断面が溝状に形成された保持具９も有している。これで側部構成要素１に対して上下方向に可動であるフラップは、閉位置と開位置との間で可動となる。
【００２４】
図２は、構築後に壁部に取り付けられるＵ型構造を形成する本発明の支持構造物１１を
図示する。図１で示された上述の側部構成要素１は、図２の左側に図示されている。図２
の右側には、左側の側部構成要素１と類似した形状の別な側部構成要素１ａが図示されて
いる。側部構成要素１ａの同一部分には、同一参照番号が付されている。
【００２５】
右側の側部構成要素１ａの外側では、固定位置１３ａと１３ｂが設けられており、そこ
を利用して外側枠体が支持構造物１１に固定可能となっている。内側枠体のための内側固
定位置２ａと２ｂ並びに外側枠体のための固定位置１３ａと１３ｂは、概略的にのみ説明
されている。
【００２６】
まず、支持構造物１１上の固定位置２ａと２ｂおよび固定位置１３ａと１３ｂは、図示
の位置とは異なることができる。さらに固定位置２ａと２ｂおよび固定位置１３ａと１３
ｂは、ネジ式連結形態及び／又は挿入体及び／又は工具を使用せずに支持構造物１１上で
内側枠体及び／又は外側枠体の取り付け及び／又は取り外しをさせる掛け止め連結形態で
よい。図示の実施例では、各側部構成要素１は、垂直方向に可動である支持構成要素６を
移動させる電気駆動装置５を有している。１つの電気駆動装置５だけを利用することも可
能である。２つの側部構成要素１の上部分４は、横断部材１２によって解除可能に連結で
きる。この固定は、ネジ式連結形態及び／又は掛け止め連結形態で行われ、横断部材１２
は、工具を利用せずに２つの上部分４に掛け止め、およびそこから取り外しができる。横
断部材１２は、樋形状であり、例えば２つの電気駆動装置５のための電源装置Ｐをそこに
収容することができる。
【００２７】
図３は、２つの側部構成要素１を備えた支持構造物１１を示す。その上部分４は、横断
部材１２に連結されている。２つの支持構成要素６の上下移動のために２つの電気駆動装
置５が設置されている。支持構造物１１の内側には、内側枠体の固定位置２ａと２ｂが提
供されている。支持構造物１１の外側には、外側枠体のための固定位置１３ａと１３ｂが
提供されている。側部分３は、安定性を提供するために連結構造部材１４によって下部領域で連結されている。
【００２８】
図４は、その後の取り付け過程で、その外側に外側枠体１５が固定されている図３の支
持構造物１１を図示する。外側枠体１５は、図３で概略的に示すように外側固定位置１３
ａと１３ｂで固定された平板壁部分１５ａ、１５ｂおよび１５ｃを有している。支持構造
物１１を外側枠体１５と共に壁部に固定することができる枠形態の壁ホルダー１５が利用
される。
【００２９】
図５は、外側枠体１５を備えた支持構造物１１を示す。駆動装置１６は、支持構造物１
１の保持具９に挿入固定できる。駆動装置１６は、バネ具（図示せず）及び／又は電気モ
ータを含む。取り付け前の垂直方向に可動であるフラップは、駆動装置１６により作用を
受ける可能性がある。下方に可動な内側枠体を移動開始させるスイッチ１７も提供されて
いる。２つのスイッチ１７は、支持構造物１１の左右両側で保持具９ａによって保持され
ている。駆動装置１６及び／又はスイッチ１７は、側部分３に対して保持具９および９ａ
内で奥行き方向に移動可能に取り付けられており（枠体の前方縁部と整合させるため）、
配置完了後に固定できる。
【００３０】
図６は、上下方向に可動である家具フラップのための駆動装置１６並びに、垂直方向に
可動である支持構成要素６のモータによる移動を開始させるスイッチ１７が取り付けられ
た支持構造物１１を図示する。壁部１８は、概略的に図示されており、そこには、枠形態
の壁ホルダー１４ａが予め取り付けられている。垂直方向に可動である支持構成要素６の
水平支持部材８が提供されており、取り付けられる内側枠体が固定位置２ａと２ｂに押し
込まれて固定される。
【００３１】
図７は、壁部１８に固定された支持構造物１１を示す。外側枠体１５は、予めそこに取
り付けられている。平板壁部分１５ａ、１５ｂおよび１５ｃも図示されている。続く取り
付け過程で戸棚形態である内側枠体１９は、図６で示された左右に設置された水平支持部材８に押し付けられ、固定位置２ａと２ｂで固定される。続いて内側枠体１９は、垂直方向に可動である支持構成要素６に固定的に連結され、スイッチ１７の作用によって外側枠体１５に対して下降できる。
【００３２】
図８は、外側枠体１５が外側に取り付けられ、内側に固定された箱型の内側枠体１９を
備えた支持構造物１１を示す。続く取り付け過程で駆動アーム２０は、２つの駆動装置１
６に解放可能に掛け止めされる。駆動アーム２０は、上下方向に可動である家具フラップ
を移動させるものであり、工具を使用せずに固定具２０ａのスナップ式連結によって簡単
に家具フラップに取り付けられ、工具を利用せずに取り外すことができる。
【００３３】
図９は、上下方向に可動で、図示の実施例では、２つのフラップ部２１ａと２１ｂを含
む家具フラップ２１の取り付けを図示する。上方フラップ部２１ａは、蝶番によって枠体
に取り付けられる。下方フラップ部２１ｂは、蝶番によって上方フラップ部２１ａに連結
され、駆動アーム２０の固定具２０ａに固定される。
【００３４】
図１０は、取り付けられた外側枠体１５、取り付けられた内側枠体１９および連結され
た家具フラップ２１を備えた家具２２の構成を図示する。内側枠体１９は、スイッチ１７
の作用によって望む程度に下降できる。よって内側枠体１９は、物品をさらに容易に収納
できる。図示の家具２２は、台所の頭上戸棚としての利用性が高い。
【００３５】
図１１は、固定された外側枠体１５と、外側枠体１５に対して降下された内側枠体１９
を備えた家具２２を示す。スイッチ１７の作用で内側枠体１９は、再び上端位置に戻るこ
とができ、内側枠体１９は、外側枠体１５内に実質的完全に収容される。図示の実施例で
は、内側枠体１９は、家具フラップ２１の移動とは独立して可動であるが、家具フラップ
２１の動きと下方に移動できる内側枠体１９の動きとの間で連動も可能である。
【００３６】
図１２ａは、特に台所の頭上戸棚として利用できる家具２２の典型的な設置状況を示す
。家具２２は、開いた家具フラップ２１と、上端位置の内側枠体１９とを備えた固定され
た外側枠体１５を備えている。
【００３７】
図１２ｂは、内側枠体１９が降下されて作業面２３に接近している状態の内側枠体１９
を示す。このように内側枠体１９は、容易に物品を収納でき、且つ容易にそこから物品を
取り出せる。
【００３８】
本発明は、説明した実施態様に限定されず、「請求の範囲」で定義した発明範囲の変形
または均等形態をも含むものである。上下、左右等の位置表現は、支持構造物１１の通常
の設置方向、並びに図示した設置状態に関して使用されており、その全体的な姿勢の変更
に応じて適宜変更して理解されるべきである。
【図１】
0005620924.tif 000002
【図２】
0005620924.tif 000003
【図３】
0005620924.tif 000004
【図４】
0005620924.tif 000005
【図５】
0005620924.tif 000006
【図６】
0005620924.tif 000007
【図７】
0005620924.tif 000008
【図８】
0005620924.tif 000009
【図９】
0005620924.tif 000010
【図１０】
0005620924.tif 000011
【図１１】
0005620924.tif 000012
【図１２ａ】
0005620924.tif 000013
【図１２ｂ】
0005620924.tif 000014